(57)【要約】【課題】  カード型記録媒体を差し込むための挿入口に開閉扉を設けて常閉とし、該挿入口の奥に配置されたカードホルダに該記録媒体を装着するに際して、該挿入口から該記録媒体が差し込まれる際に該開閉扉を開くカード型記録媒体用開閉機構であって、小スペースで、挿入口からの異物などの侵入を防止しつつ、カード型記録媒体を円滑に装着できるカード型記録媒体用開閉機構を提供する。【解決手段】  前記挿入口９を覆う大きさの前記開閉扉１と、前記開閉扉１の軸５を内開き形式で支持する揺動支持手段と、前記挿入口９から前記カードホルダ６間で前記カード型記録媒体４を案内する案内手段を具備した。【選択図】        図２
2006221266.tif 000002
【特許請求の範囲】
【請求項１】
平板型記録媒体を差し込むための挿入口に開閉扉を設けて常閉とし、前記挿入口の奥に配置された記録媒体ホルダに前記記録媒体を装着するに際して、前記挿入口から前記記録媒体が差し込まれるのに応じて前記開閉扉を開く記録媒体用開閉機構であって、
前記開閉扉を内開き形式で支持する揺動支持手段と、
前記挿入口から前記記録媒体ホルダ間で前記記録媒体を案内する案内手段を具備したことを特徴とする記録媒体用開閉扉機構。
【請求項２】
前記案内手段が前記開閉扉と一体的に構成されたことを特徴とする請求項１記載の記録媒体用開閉扉機構。
【請求項３】
前記挿入口が横長の形状であるとき、前記揺動支持手段が前記開口の下方にあることを特徴とする請求項１記載の記録媒体用開閉扉機構。
【請求項４】
前記挿入口が横長の形状であるとき、前記揺動支持手段が前記挿入口の上方に位置すると共に、前記案内手段が前記挿入口とつながる平坦面で構成されたことを特徴とする請求項１又は請求項２記載の記録媒体用開閉扉機構。
【請求項５】
前記案内手段が導光管で構成されたことを特徴とする請求項４記載の記録媒体用開閉扉機構。
【発明の詳細な説明】
【技術分野】
【０００１】
この発明は、記録媒体用開閉機構特に、カードなどの平板状記録媒体を挿脱するのに用いる記録媒体用開閉機構に関する。
【背景技術】
【０００２】
従来、車載用の記録装置、再生装置等において、これに用いる記録媒体は、比較的大きさが大きくて、大きいが故に取り扱い操作も容易な、カセットテープ、ＣＤ、ＭＤなどであった。これらの記録媒体は本体の挿入口から挿入して使用されるが形状が大きいので、比較的挿入方向を規制するのが容易である。一方、近年、これらの記録媒体に代えて、各種の平板型などの薄くて小型の記録媒体が使用されつつある。
【０００３】
平板型記録媒体（以下、単に記録媒体という）は、よく知られるように、音楽情報、文字情報、画像情報などを記録するカード型をした小さな記録媒体であり、半導体素子の高集積化により大容量で携帯性に優れている。しかし、かかる記録媒体は形状が小さく、また、薄くなっているので本体への出し入れが容易でない。この点の改良を課題とした技術として、例えば、扉の閉塞面に記録媒体が脱着可能な収納部を設け、この収納部に収納した記録情報を本体に供給可能にした技術がある（例えば、特許文献１参照）。
【０００４】
しかし、かかる特許文献に開示された挿入口の防塵扉や、記録媒体を収容する扉などは本体の前面に外開きで構成された比較的大型の扉であり、外開きであることから相当のスペースを必要とするし、回動量も大きいので装着可能な状態になるまで相当の時間も費やす。
【０００５】
一方、記録媒体を車載用の記録、再生装置に使用する場合、防塵、静電気、液体混入等について特に留意しなければならず、挿入口を介して脱着する場合には、該挿入口に開閉扉は欠かせない。
【０００６】
【特許文献１】特開２００２−１０８３９８号公報
【発明の開示】
【発明が解決しようとする課題】
【０００７】
記録媒体を使用する従来の記録、再生装置では、開閉する扉そのものに記録媒体を収納する構成であり、この扉が本体の前面側に外開きする構成であり、設置スペース、操作時間などを費やすおそれがあるという課題があった。
【０００８】
この発明は上記のような課題を解決するためになされたもので、小スペースで、挿入口からの異物などの侵入を防止しつつ、カード型をした薄くて小型の平板記録媒体を円滑に装着できる記録媒体用開閉機構を提供することを目的とする。
【課題を解決するための手段】
【０００９】
この発明に係る記録媒体用開閉機構は、平板型記録媒体を差し込むための挿入口に開閉扉を設けて常閉とし、前記挿入口の奥に配置されたホルダに前記記録媒体を装着するに際して、前記挿入口から前記記録媒体が差し込まれる際に該開閉扉を開く記録媒体用開閉機構であって、前記開閉扉を内開き形式で支持する揺動支持手段と、前記挿入口から前記ホルダ間で前記記録媒体を案内する案内手段を具備するものである。
【発明の効果】
【００１０】
この発明によれば、小スペースで、挿入口からの異物などの侵入を防止しつつ、平板型記録媒体を円滑に装着できる記録媒体用開閉機構を提供することができる。
【発明を実施するための最良の形態】
【００１１】
実施の形態１．
図１において、車載用機器の一例としてオーディオ装置２０を示す。このオーディオ装置２０の前面には平板型記録媒体の一例としてカード型記録媒体４を差し込むための挿入口９が形成されている。
挿入口９の内部を示した図２及び図３、図４において、矢印２１で示すカード型記録媒体４の挿入方向上、挿入口９の奥側には、プリント基板７上に記録媒体ホルダ（以下、カードホルダという）６が設けられている。カードホルダ６はカード型記録媒体４を装着するためのホルダであり、基板７と一体的にオーディオ装置２０の本体内部に固定されている。
【００１２】
挿入口９は意匠パネル３に横長に形成された開口であり、意匠パネル３の内側であって、この挿入口９の横長の下縁にその長手方向を揃えて、矩形板状をした開閉扉１が位置している。開閉扉１は長手方向に軸５を有し、この軸５は挿入口９の下縁の下方近傍に位置している。軸５の長手方向の両端部は挿入口９の外方に位置し、意匠パネル３と一体的に構成された図示しない軸受部材に回転可能に支持されている。この軸受部材は開閉扉の揺動支持手段であり、意匠パネル３の内側に構成されているので、開閉扉１は内開きの構成となる。後述するように、開閉扉１は挿入口９を覆う大きさがあれば十分であり、内開きにしたので開いたときに、意匠パネル３の外方にスペースを占めることがなく、また、小型のカード型記録媒体に合わせた小さな挿入口９を覆う最小限の大きさとすることで、小さな開閉扉で足り、コンパクトな構成とすることができる。
【００１３】
図５に示すように、軸５には開脚性の捩りコイルばね２２が装着されていて、該捩りコイルばね２２の一端部は折曲されて開閉扉１の内側に掛けられ、他の一端部は意匠パネル３の内側面に当接している。かかる構成において、捩りコイルばね２２の弾性により、開閉扉１は矢印２３で示す向き、つまり、軸５を中心として反時計まわりの向きの回転力を受けるように回動し、この回動は開閉扉１の自由端部が意匠パネル３の内側面に当接することで停止する。図３はこうして、開閉扉１が回動を停止している状態を示す。こうして、開閉扉１は、外力が作用しない限り閉状態を保持する所謂常閉の構成となっている。
【００１４】
開閉扉１は前記したように、矩形板からなり、その大きさは挿入口９を覆うことができ、閉状態のもとで、挿入口９の全周で重なり合うことで挿入口９を密閉している。かかる密閉状態により、挿入口９は防塵状態となり、静電気、液体混入等についてもこれを防止できる構成となっている。
【００１５】
図３に示したように、開閉扉１は常閉であり、カード型記録媒体４の挿入時に該カード型記録媒体の先端部により自由端側が捩りコイルばね２２の弾性に抗して押し動かされて開く。カードホルダ６は前記したように、挿入口９の奥側に位置しており、その位置はたとえば、カード型記録媒体４の挿入を終えた時点で後端部が意匠パネル３の外側に出る突出量をなるべく少なくするように定める。
【００１６】
開閉扉１の回動範囲を確保すべく挿入口９とカードホルダ６の間に空間ができるが、この空間におけるカード型記録媒体４の挿入方向を規制するための案内手段として、開閉扉１の外側の面（挿入口９と対向する側の面）に矢印２１と平行に、一対のガイド部材２を設けた。ガイド部材２は２つの角柱状の部材をカード型記録媒体４の横幅に合わせて配置した構成である。カード型記録媒体４は一対のガイド部材２に横方向を規制されて、カードホルダ６に導かれる。なお、図２ではカード型記録媒体４は開閉扉１に接触していないが、説明の便宜上、開閉扉１がカード型記録媒体４により押し動かされたものとして、これを想定して示している。
【００１７】
捩りコイルばね２２は開閉扉１を常閉するために機能するが、その弾性を強くするなど適度に設定することにより、カード型記録媒体４を挿入口９から差し込む際にカード型記録媒体４の先端部に当接して進路を規制し、カードホルダ６への装着を容易にすることができる。よって、開閉扉１自体の外側の面も、カード型記録媒体４の挿入方向を規制するための案内手段を構成し、該案内手段が開閉扉１と一体的に形成されていることになる。同時に捩りコイルばね２２の弾性で、カード型記録媒体４は押圧された状態であることから、カードを挿入完了した状態でビビリ振動が生じることはない。
【００１８】
こうして、カードホルダに装着されたカード型記録媒体４は、別途構成された手段により装着状態が保持される。カード型記録媒体４は記録、再生など所定の目的を果たした後、保持が解除されて、図示しないイジェクト機能により、駆動力を与えられて、挿入口９から押し出される。押し出されると、開閉扉１は捩りコイルばね２２の弾性により閉じ状態となる。
【００１９】
実施の形態２．
本実施の形態も、図１における、車載用機器の一例としてオーディオ装置２０と外観は共通である。よって、カード型記録媒体４と挿入口９は実施の形態２と同じ符号で説明する。また、意匠パネル３、カードホルダ６、基板７についても同様とする。
【００２０】
図６、図８、図９において、開閉扉１１は実施の形態１と同様、挿入口９を覆う大きさであり、意匠パネル３の内側であって、この挿入口９の横長の上縁にその長手方向を揃えて、矩形板状をした開閉扉１１が位置している。開閉扉１１は長手方向に軸５０を有し、この軸５０は挿入口９の上縁の上方近傍に位置している。軸５０の長手方向の両端部は挿入口９の外方に位置し、意匠パネル３と一体的に構成された図示しない軸受部材に回転可能に支持されている。この軸受部材は開閉扉の揺動支持手段であり、意匠パネル３の内側に構成されているので、開閉扉１は内開きの構成となる。
【００２１】
図１０に示すように、軸５０には開脚性の捩りコイルばね２２０が装着されていて、該捩りコイルばね２２０の一端部は折曲されて開閉扉１１の外側に掛けられ、他の一端部は意匠パネル３の内側面に当接している。かかる構成において、捩りコイルばね２２０の弾性により、開閉扉１１は矢印２３０で示す向き、つまり、軸５０を中心として時計まわりの向きの回転力を受けるように回動し、この回動は開閉扉１１の自由端部が意匠パネル３の内側面に当接することで停止する。図８はこうして、開閉扉１１が回動を停止している状態を示す。こうして、開閉扉１１は、外力が作用しない限り閉状態を保持する所謂常閉の構成となっている。
【００２２】
仮に、図７に示すように開閉扉１１が単なる矩形板だったとすると、開閉扉１１０は挿入口９を覆う大きさをしているので、閉じた状態では該開閉扉１１の下端は挿入口９の下縁との間でΔの寸法差ができる。この寸法差Δは挿入口９からカード型記録媒体４を差し込む際の段差となり、挿入操作の円滑を欠き、カード型記録媒体４を損傷かねない。
【００２３】
そこで、本例では、図６、図８、図９に示したように、挿入口９が横長の形状であるとき、開閉扉１１の揺動支持手段が挿入口９の上方に位置すると共に、該挿入口９の下縁に案内手段としての導光管８の一端側を埋め込む形で構成し、該導光管８の上面が挿入口９とつながる平坦面Ｈ４で構成した。そして、開閉扉１１の下端部であって、導光管８と干渉する部位を凹状に切り欠いて切り欠き溝１５構成とした。導光管８は、意匠パネル３に固定し挿入口９とカードホルダ６間に配置した。こうして、開閉扉１１は導光管８と干渉することなく、閉じることができる。
【００２４】
導光管８を設けたことで、図７で説明した寸法差（段差）Δによるカード型記録媒体４の先端部が該寸法差Δ部に入り込む障害は解消されて、カード型記録媒体４は開閉扉１１を押し開きながら挿入され、その際にカード型記録媒体４の挿入方向が導光管８で規制されて円滑にカードホルダ６に導かれる。案内手段は導光管８に限ることなく、適宜の柱状の部材で構成できることは勿論である。
【００２５】
図８、図９に示すように導光管８で構成し、導光管８の奥側に発光体１０を設けた場合には、発光体１０を発光させることで、夜間など挿入口９の位置を容易に視認して円滑に挿入することが可能となる。
【図面の簡単な説明】
【００２６】
【図１】カード型記録媒体を用いる機器の外観斜視図である。
【図２】挿入口からカード型記録媒体を挿入する状態を説明した斜視図である。
【図３】開閉扉が閉じた状態を説明した断面図である。
【図４】カード型記録媒体により開閉扉が押し動かされた状態を示した断面図である。
【図５】開閉扉を付勢する捩りコイルばねの装着態様を説明した斜視図である。
【図６】挿入口からカード型記録媒体を挿入する状態を説明した斜視図である。
【図７】挿入口の奥側にできる段差を説明した図である。
【図８】開閉扉が閉じた状態を説明した断面図である。
【図９】カード型記録媒体により開閉扉が押し動かされた状態を示した断面図である。
【図１０】開閉扉の回動軸の一部を示す斜視図である。
【符号の説明】
【００２７】
１，１１  開閉扉、２  案内手段、４  カード型記録媒体。
【図１】
2006221266.tif 000003
【図２】
2006221266.tif 000004
【図３】
2006221266.tif 000005
【図４】
2006221266.tif 000006
【図５】
2006221266.tif 000007
【図６】
2006221266.tif 000008
【図７】
2006221266.tif 000009
【図８】
2006221266.tif 000010
【図９】
2006221266.tif 000011
【図１０】
2006221266.tif 000012